(57)【特許請求の範囲】
【請求項１】
車両の時系列の位置情報及び速度情報を記憶する記憶手段と、記憶した前記速度情報が実質的にゼロとなる時点を前記車両の停止時点とみなし、その停止時点の前記車両の位置情報を当該車両の停止位置と判定する判定手段と、を有する停止位置判定装置が判定した前記停止位置に基づいて、交差点での前記停止時点における待ち行列台数を算出する算出手段を有することを特徴とする交通指標算出装置。
【請求項２】
車両の時系列の位置情報及び速度情報を記憶する記憶手段と、記憶した前記速度情報が実質的にゼロとなる時点を前記車両の停止時点とみなし、その停止時点の前記車両の位置情報を当該車両の停止位置と判定する判定手段と、を有する停止位置判定装置が判定した前記停止位置と、前記車両が車両感知器を通過した時点以降に当該車両感知器が感知した後続車両の台数とに基づいて、交差点での青終了時点における待ち行列台数を算出する算出手段を有することを特徴とする交通指標算出装置。
【請求項３】
車両の時系列の位置情報及び速度情報を記憶する記憶手段と、記憶した前記速度情報が実質的にゼロとなる時点を前記車両の停止時点とみなし、その停止時点の前記車両の位置情報を当該車両の停止位置と判定する判定手段と、を有する停止位置判定装置が判定した前記停止位置と、前記車両が停止線を通過する時刻の青開始時点からの経過時間とに基づいて、交差点での飽和交通流率を算出する算出手段を有することを特徴とする交通指標算出装置。
【請求項４】
車両の時系列の位置情報及び速度情報を記憶手段に記憶させ、記憶した前記速度情報が実質的にゼロとなる時点を前記車両の停止時点とみなし、その停止時点の前記車両の位置情報を当該車両の停止位置と判定し、判定した前記停止位置に基づいて、交差点での前記停止時点における待ち行列台数を算出することを特徴とする交通指標算出方法。
【請求項５】
車両の時系列の位置情報及び速度情報を記憶手段に記憶させ、記憶した前記速度情報が実質的にゼロとなる時点を前記車両の停止時点とみなし、その停止時点の前記車両の位置情報を当該車両の停止位置と判定し、判定した前記停止位置と、前記車両が車両感知器を通過した時点以降に当該車両感知器が感知した後続車両の台数とに基づいて、交差点での青終了時点における待ち行列台数を算出することを特徴とする交通指標算出方法。
【請求項６】
車両の時系列の位置情報及び速度情報を記憶手段に記憶させ、記憶した前記速度情報が実質的にゼロとなる時点を前記車両の停止時点とみなし、その停止時点の前記車両の位置情報を当該車両の停止位置と判定し、判定した前記停止位置と、前記車両が停止線を通過する時刻の青開始時点からの経過時間とに基づいて、交差点での飽和交通流率を算出することを特徴とする交通指標算出方法。
【請求項７】
交差点での待ち行列台数を算出する装置としてコンピュータを機能させるためのコンピュータプログラムであって、
車両の時系列の位置情報及び速度情報を記憶手段に記憶させるステップと、記憶した前記速度情報が実質的にゼロとなる時点を前記車両の停止時点とみなし、その停止時点の前記車両の位置情報を当該車両の停止位置と判定するステップと、を含む、車両の停止位置を判定する装置としてコンピュータを機能させるためのコンピュータプログラムにて判定した前記停止位置に基づいて、前記交差点での前記停止時点における前記待ち行列台数を算出するステップを含むことを特徴とするコンピュータプログラム。
【請求項８】
交差点での待ち行列台数を算出する装置としてコンピュータを機能させるためのコンピュータプログラムであって、
車両の時系列の位置情報及び速度情報を記憶手段に記憶させるステップと、記憶した前記速度情報が実質的にゼロとなる時点を前記車両の停止時点とみなし、その停止時点の前記車両の位置情報を当該車両の停止位置と判定するステップと、を含む、車両の停止位置を判定する装置としてコンピュータを機能させるためのコンピュータプログラムにて判定した前記停止位置と、前記車両が車両感知器を通過した時点以降に当該車両感知器が感知した後続車両の台数とに基づいて、前記交差点での青終了時点における前記待ち行列台数を算出するステップを含むことを特徴とするコンピュータプログラム。
【請求項９】
交差点での飽和交通流率を算出する装置としてコンピュータを機能させるためのコンピュータプログラムであって、
車両の時系列の位置情報及び速度情報を記憶手段に記憶させるステップと、記憶した前記速度情報が実質的にゼロとなる時点を前記車両の停止時点とみなし、その停止時点の前記車両の位置情報を当該車両の停止位置と判定するステップと、を含む、車両の停止位置を判定する装置としてコンピュータを機能させるためのコンピュータプログラムにて判定した前記停止位置と、前記車両が停止線を通過する時刻の青開始時点からの経過時間とに基づいて、前記交差点での前記飽和交通流率を算出するステップを含むことを特徴とするコンピュータプログラム。
【発明の詳細な説明】
【技術分野】
【０００１】
本発明は、交差点での待ち行列台数や飽和交通流率を交通指標とした系統制御又は広域制御の実行に際して、それらの交通指標をより正確に算出するための装置、方法及びコンピュータプログラムに関する。
【背景技術】
【０００２】
系統制御や広域制御による交通信号の信号制御方式を、信号制御パラメータ（スプリット、サイクル長及びオフセット等）の設定方式の視点で大別すると、時間帯に応じて信号制御パラメータを設定する定周期制御と、交通状況に応じて信号制御パラメータを設定する交通感応制御の２種類がある。
このうち、後者の交通感応制御は、端末の交通信号制御機ごとに行う端末感応制御と、路線系統制御或いは面制御される複数の交差点を対象に信号制御パラメータを変化させる中央感応制御に分類される。
【０００３】
上記中央感応制御は、交通流の変動に対応した高度な系統制御や広域制御（面制御）を行えるため、交通量の時間変動が激しくかつ交通量が多く、高い交通処理効率が要求される道路に適用され、プログラム選択制御又はプログラム形成制御が採用される。
プログラム選択制御とは、予め設定された複数のプログラムの中から、車両感知器情報に基づいてそのときの交通状態に最適な一つのプログラムを選択する方式である。また、プログラム形成制御とは、予め有限個のパラメータ値を設定するのではなく、車両感知器情報に基づいてオンラインで信号制御パラメータや信号表示の切り替えタイミングを決定する方式である。
【０００４】
交通管制センターが行う中央感応制御では、従来プログラム選択制御が採用されているが、これには次のような短所がある。
（１）パラメータの設計に多大な労力を要する。
（２）交通状況の経年変化で状況が大きく変化した時の再設計が必要となる。
（３）評価指標（交通量と占有率の加重和）が経験的かつ曖昧である。
（４）余裕を持たせるためにサイクル長が長くなる傾向にあり、無駄な青時間が発生したり、歩行者待ち時間が大きくなったりし易い。
【０００５】
そこで、上記短所を解決するために、交通管制センターの中央装置が交通状況に応じて信号制御パラメータを自動的に更新するプログラム形成制御が行われており、この制御方式はＭＯＤＥＲＡＴＯ（Management by Origin-DEstination Related Adaptation for Traffic Optimization）制御と呼ばれている。
かかるＭＯＤＥＲＡＴＯ制御を行うためには、上記信号制御パラメータの算出の基礎となる交通指標である負荷率の算出が不可欠であり、この負荷率を求めるためには、車両の待ち行列台数と飽和交通流率を情報収集することが必要である（非特許文献１参照）。
【０００６】
一方、上記ＭＯＤＥＲＡＴＯ制御に加えて、一部の交差点に関して、信号制御に未来の予測情報を用いて青時間を最適化することにより、更にリアルタイム性を高めるＲＯＮＤＯ（ROlling-horizoNbased Dynamic Optimization of signal control system：なお、「ＲＯＮＤＯ」は登録商標）という制御方式を採用する場合がある。このＲＯＮＤＯ制御の特徴は次の通りである（非特許文献２参照）。
（１）  交差点上流の車両感知器情報及び上流交差点が生成する流出予測情報より、現在から数分先の未来までの車両到着タイミングを予測する。
（２）  交差点通過時に発生する信号待ち遅れ時間が最小となる最適な信号打ち切りタイミングを探索する。
（３）  交差点単位の分散処理を行う（なお、中央型処理も可能）。
【０００７】
かかるＲＯＮＤＯ制御を行う場合には、車両到着タイミングの予測が不可欠であり、このタイミングを予測する場合にも、車両の待ち行列台数と飽和交通流率を情報収集することが必要である（特許文献１参照）。もっとも、ＲＯＮＤＯ制御では、計測した待ち行列台数を直接制御に用いるのではなく、推定した待ち行列台数の補正に使用する。
【先行技術文献】
【特許文献】
【０００８】
【特許文献１】特開２００１−１３４８９３号公報
【非特許文献】
【０００９】
【非特許文献１】「改訂  交通信号の手引き」  編集・発行  社団法人  交通工学研究会（１６〜１８頁、８３〜８７頁）
【非特許文献２】「鳥取交通管制センター高度化システムの構築」  ＳＥＩテクニカルレビュー  ２００４年９月  第１６５号  ５６〜６３頁
【発明の概要】
【発明が解決しようとする課題】
【００１０】
従来、ＭＯＤＥＲＡＴＯ制御やＲＯＮＤＯ制御を行う場合に必要な交通指標の一つである待ち行列台数は、道路に設置した単数又は複数の車両感知器の感知信号から待ち行列長さを推定し、これを平均車頭距離で割ることによって算出している。
しかし、このような算出方法では、停止線に最も近い車両感知器の下流側や、車両感知器同士の間で車両の流入や流出があると、待ち行列長さに誤差が生じる。従って、待ち行列台数の値が不正確になる可能性が皆無とは言えず、ＭＯＤＥＲＡＴＯ制御やＲＯＮＤＯ制御の更なる高精度化を阻害する要因となり得る。
【００１１】
また、飽和交通流率の場合は、通常、固定の設定値を採用するのが一般的であり、実測するとしても、待ち行列台数が車両感知器の設置位置まで延伸していない場合には計測できない。
従って、飽和交通流率にも誤差が含まれている可能性が皆無ではなく、この点もＭＯＤＥＲＡＴＯ制御やＲＯＮＤＯ制御の更なる高精度化を阻害する要因となり得る。
【００１２】
本発明は、かかる事情に鑑みてなされたものであり、車両の停止位置を正確に判定できる装置、方法及びコンピュータプログラムと、判定された正確な停止位置から待ち行列台数や飽和交通流率を算出する装置、方法及びコンピュータプログラムとを提供することを目的とする。
【課題を解決するための手段】
【００１３】
本発明の停止位置判定装置は、車両の時系列の位置情報及び速度情報を記憶する記憶手段と、記憶した前記速度情報が実質的にゼロとなる時点を前記車両の停止時点とみなし、その停止時点の前記車両の位置情報を当該車両の停止位置と判定する判定手段と、を有することを特徴とする。
【００１４】
本発明の停止位置判定装置では、車両の位置情報及び速度情報を記憶手段が時系列データとして記憶している。この時系列の位置情報と速度情報とから当該車両の停止時点と停止位置を求めると、その停止時点では当該車両が待ち行列の最後尾となり、この停止位置を利用して求めた待ち行列はまさに実際の待ち行列台数と同等或いは非常に近似したものとなる。
すなわち、本発明の停止位置判定装置によれば、記憶手段が記憶する車両の時系列の速度情報が実質的にゼロとなる時点をその車両の停止時点とみなし、この停止時点の車両の位置情報を当該車両の停止位置と判定するので、これらの停止時点及び停止位置は、車両が実際に停止した時刻及び位置に極めて近い正確な値になる。
本発明の第１の交通指標算出装置は、上述の停止位置判定装置が判定した前記停止位置に基づいて、交差点での前記停止時点における待ち行列台数を算出する算出手段を有することを特徴とする（請求項１）。
本発明の第１の交通指標算出装置によれば、算出手段が、停止位置判定装置が判定した実際に近い正確な停止位置に基づいて、交差点での停止時点における待ち行列台数を算出するので、単数又は複数の車両感知器の感知信号から待ち行列台数を推定する場合に比べて、当該待ち行列台数を正確に算出することができる。
【００１５】
本発明の第２の交通指標算出装置は、上述の停止位置判定装置が判定した前記停止位置と、前記車両が車両感知器を通過した時点以降に当該車両感知器が感知した後続車両の台数とに基づいて、交差点での青終了時点における待ち行列台数を算出する算出手段を有することを特徴とする（請求項２）。
【００１６】
本発明の第２の交通指標算出装置によれば、算出手段が、上述の停止位置判定装置による判定で得られた実際に近い正確な停止位置と、後続車両の台数とに基づいて、交差点での青終了時点における待ち行列台数を算出するので、単数又は複数の車両感知器の感知信号から待ち行列台数を推定する場合に比べて、当該待ち行列台数を正確に算出することができる。
【００１７】
本発明の第２の交通指標算出装置において、停止位置が観測された車両に続く後続車両の台数を、待ち行列台数としてカウントすべきか否かは、例えば次の不等式（１）で判定することができる。
すなわち、本発明の第２の交通指標算出装置において、次の不等式（１）が成立する場合にのみ、前記後続車両の台数をカウントするようにすればよい。
Ｖ×（Ｔ−ｔｉ）≧Ａ−（Ｌ＋ｌ×ｉ）  ……（１）
ただし、Ｖ  ：予め設定又は取得された車両速度
Ｔ  ：交差点の信号灯器の青終了時刻
ｔｉ：ｉ番目（ｉ＝１，２……）の後続車両の感知器通過時刻
Ａ  ：車両感知器から停止線までの距離
Ｌ  ：車両の停止地点から停止線までの距離
ｌ  ：有効車両長さ
上記不等式が成立する場合、後続車両は待ち行列に加わっていると推定できるので、この不等式が成立する場合にのみ後続車両の台数をカウントするようにすれば、精度よく待ち行列台数を推定することができる。
【００１８】
本発明の第３の交通指標算出装置は、上述の停止位置判定装置が判定した前記停止位置と、前記車両が停止線を通過する時刻の青開始時点からの経過時間とに基づいて、交差点での飽和交通流率を算出する算出手段を有することを特徴とする（請求項３）。
【００１９】
本発明の第３の交通指標算出装置によれば、算出手段が、上述の停止位置判定装置による判定で得られた実際に近い正確な停止位置と、車両が停止線を通過する時刻の青開始時点からの経過時間とに基づいて、交差点での飽和交通流率を算出するので、単数又は複数の車両感知器の感知信号から飽和交通流率を推定する場合に比べて、当該飽和交通流率を正確に算出することができる。
【００２０】
本発明の停止位置判定方法は、本発明の停止位置判定装置において行われる判定方法である。
本発明の第１の交通指標算出方法（請求項４）は、本発明の第１の交通指標算出装置（請求項１）において行われる算出方法である。
本発明の第２の交通指標算出方法（請求項５）は、本発明の第２の交通指標算出装置（請求項２）において行われる算出方法である。
本発明の第３の交通指標算出方法（請求項６）は、本発明の第３の交通指標算出装置（請求項３）において行われる算出方法である。
【００２１】
本発明の停止位置判定に関するコンピュータプログラムは、車両の停止位置を判定する装置としてコンピュータを機能させるためのコンピュータプログラムであって、コンピュータを、本発明の停止位置判定装置としての機能を実現させるためのステップを含む。
本発明の交通指標の算出に関する第１のコンピュータプログラム（請求項７）は、交差点での待ち行列台数を算出する装置としてコンピュータを機能させるためのコンピュータプログラムであって、コンピュータを、本発明の第１の交通指標算出装置（請求項１）としての機能を実現させるためのステップを含む。
【００２２】
本発明の交通指標の算出に関する第２のコンピュータプログラム（請求項８）は、交差点での待ち行列台数を算出する装置としてコンピュータを機能させるためのコンピュータプログラムであって、コンピュータを、本発明の第２の交通指標算出装置（請求項２）としての機能を実現させるためのステップを含む。
本発明の交通指標の算出に関する第３のコンピュータプログラム（請求項９）は、交差点での待ち行列台数を算出する装置としてコンピュータを機能させるためのコンピュータプログラムであって、コンピュータを、本発明の第３の交通指標算出装置（請求項３）としての機能を実現させるためのステップを含む。
【００２３】
（削除）
【００２４】
（削除）
【００２５】
（削除）
【００２６】
（削除）
【００２７】
（削除）
【００２８】
（削除）
【００２９】
（削除）
【００３０】
（削除）
【００３１】
（削除）
【００３２】
（削除）
【００３３】
（削除）
【発明の効果】
【００３４】
以上の通り、本発明によれば、車両の停止位置を正確に判定することができる。
また、本発明によれば、正確に判定された停止位置に基づいて待ち行列台数や飽和交通流率を算出するので、それらの交通指標を正確に算出することができる。
【図面の簡単な説明】
【００３５】
【図１】交通信号制御システムの概要を示す模式図である。
【図２】交通信号機の概要を示す模式図である。
【図３】中央装置の構成を示すブロック図である。
【図４】交通信号制御機の構成を示すブロック図である。
【図５】車載装置の構成を示すブロック図である。
【図６】待ち行列台数の算出方法を示すための交差点部位の平面図である。
【図７】第二実施形態を示すための、交通信号機の概要を示す模式図である。
【図８】第三実施形態を示すための、交通信号機の概要を示す模式図である。
【発明を実施するための形態】
【００３６】
以下、添付図面を参照しながら、本発明の実施形態を詳細に説明する。
なお、以下に説明する実施形態のうち、車載装置がリアルタイムで送信した位置と速度を用いる実施形態（第一実施形態）は、本発明の実施形態ではなく、車載装置が蓄積した位置と速度の時系列データを用いる実施形態（第二及び第三実施形態）が、本発明の実施形態である。
〔システムの全体構成〕
図１は、本発明の実施形態に係る交通信号制御システムの全体構成を示している。
図１に示すように、本実施形態の交通信号制御システムは、交通信号機１、車載装置２（図２参照）、車両感知器３、中央装置４、車載装置２を搭載した車両５などを含む。
【００３７】
各交通信号機１は、複数の交差点Ｃｉ（ｉ＝１〜１２）のそれぞれに設置され、電話回線等の通信回線６を介してルータ７に接続されている。このルータ７は交通管制センター内の中央装置４に接続され、中央装置４は、所定エリア内の交差点Ｃｉの各交通信号機１とＬＡＮ（Local Area Network）を構成している。
従って、中央装置４は、各交通信号機１と双方向通信が可能であり、各交通信号機１は他の交通信号機１とも双方向通信が可能である。なお、中央装置４は、交通管制センターではなく道路上に設置してもよい。
【００３８】
車両感知器３は、各交差点Ｃｉに流入する車両台数をカウントするために、対応する各交差点Ｃｉの上流側に設置されており、図示しない通信回線を介して対応する各交通信号機１と繋がっている。
なお、図１では、図示を簡略化するために、各交差点Ｃｉに信号灯器１ｂが１つだけ描写されているが、実際の各交差点Ｃｉには、例えば図２に示すように、互いに交差する道路の上り下り用として４つの信号灯器１ｂが設置されている。
【００３９】
〔中央装置〕
図３は、中央装置４の構成を示すブロック図である。
図３に示すように、中央装置４は、制御部４０１、表示部４０２、通信部４０３、記憶部４０４及び操作部４０５を含んでいる。
中央装置４の制御部４０１は、ワークステーション（ＷＳ）やパーソナルコンピュータ（ＰＣ）等よりなり、交通信号機１や車両感知器３からの各種の交通情報の収集・処理（演算）・記録、信号制御及び情報提供を統括的に行う。制御部１０１は、内部バスを介して上記ハードウェア各部と繋がっており、これら各部の動作も制御する。
【００４０】
中央装置４の制御部４０１は、自身のネットワークに属する交差点Ｃｉの交通信号機１に対して、同一道路上の交通信号機１群を調整する系統制御や、この系統制御を道路網に拡張した広域制御（面制御）を行うものであり、例えば、前記ＭＯＤＥＲＡＴＯ制御とＲＯＮＤＯ制御を行うことができる。
ＭＯＤＥＲＡＴＯ制御は、ネットワークに属するすべての交通信号機１をマクロ制御するもので、近飽和の交通状態に対応するために、負荷率という交通指標を用いて各交通信号機１に最適な信号制御パラメータをサイクルごとに自動生成する。
【００４１】
例えば、スプリット制御の場合には、各交差点Ｃｉについて、現示ごとの各流入路の負荷率の最大値を求め、現示負荷率の比で正規化されたスプリットを配分する負荷率比配分方式が採用される。
上記負荷率ρは、車両の流入流量Ｑ（台／時）、待ち行列台数Ｅ（台／時）及び飽和交通流率ｓ（台／時）を用いて、ρ＝（Ｑ＋Ｅ）／ｓ  で定義される。ＭＯＤＥＲＡＴＯ制御では、かかる定義に基づく負荷率ρを制御対象とするため、各交差点Ｃｉの待ち行列台数Ｅと飽和交通流率ｓを算出する必要がある。
【００４２】
なお、ＭＯＤＥＲＡＴＯ制御の場合には、閑散から過飽和までの交差点Ｃｉでの交通状況を連続的に表現できる交通指標とするために、青終了時点での待ち行列台数Ｅ２が必要である。
一方、ＲＯＮＤＯ制御は、ネットワークに属する一部の交通信号機１をミクロ制御するもので、着目する交差点Ｃｉの上流側で観測された情報を基に交通状況の変化を事前に予測し、その予測に基づいて交差点Ｃｉでの信号待ちによる遅れ時間を最小にするように最適な青の打ち切りタイミングを決定する。
【００４３】
かかるＲＯＮＤＯ制御では、ある交差点Ｃｉにおける、停止線到着プロファイル情報と信号制御情報に基づいてシミュレーション演算を行い、現示点から１サイクル以上未来までの待ち行列台数Ｅの変動状況を計算する。従って、このＲＯＮＤＯ制御を行う場合も、待ち行列台数Ｅと飽和交通流率ｓを算出する必要がある。
なお、ＲＯＮＤＯ制御の場合には、交通指標として、青終了時点の待ち行列台数Ｅ２だけでなく、現時点の待ち行列台数Ｅ１を使用することもできる。
中央装置４の制御部４０１が行う、上記各交通指標の算出方法については後述する。
【００４４】
中央装置４の通信部４０３は、通信回線６を介してＬＡＮ側と接続された通信インタフェースであり、所定時間ごとに信号灯器１ｂの灯色切り替えタイミング等に関する信号制御指令Ｓ１と、渋滞情報等を含む交通情報Ｓ２とを各交通信号機１に送信している。信号制御指令Ｓ１は、信号制御パラメータの演算周期（例えば、１．０〜２．５分）ごとに送信され、交通情報Ｓ２は例えば５分ごとに送信される。
また、中央装置４の通信部４０３は、各交通信号機１から、車載装置２が搭載されている車両５の位置情報Ｓ３及び速度情報Ｓ４と、車両感知器３の感知信号Ｓ５とをリアルタイム（例えば、０．１〜１．０秒周期）で受信している。
【００４５】
中央装置４の記憶部４０４は、ハードディスクや半導体メモリ等から構成されており、前記ＭＯＤＥＲＡＴＯ制御やＲＯＮＤＯ制御を行う制御プログラムと、この制御に用いる交通指標の演算プログラムを記憶している。また、記憶部４０４は、制御部４０１が生成した前記信号制御指令Ｓ１及び交通情報Ｓ２と、ＬＡＮ側から取得した位置情報Ｓ３、速度情報Ｓ４及び感知信号Ｓ５を一時的に記憶する。
【００４６】
中央装置４の表示部４０２は、自身が管理するエリアの道路地図と、この道路地図上のすべての交通信号機１や光ビーコン（図示せず）等の位置が表示された表示画面により構成され、中央オペレータに渋滞や事故等の交通状況を報知するものである。
中央装置４の操作部４０５は、キーボードやマウス等の入力インタフェースよりなり、この操作部４０５によって中央オペレータが上記表示部４０２に対する表示切り替え操作等を行えるようになっている。
【００４７】
〔交通信号機〕
図２は、交通信号機１の全体構成を示す模式図である。
図２では、交通量の多い主道路ＲＭ１，ＲＭ２と交通量の少ない従道路ＲＳ１，ＲＳ２とが合流した交差点Ｃを例示している。
この交通信号機１は、主道路ＲＭ１，ＲＭ２及び従道路ＲＳ１，ＲＳ２のそれぞれに設置された４つの信号灯器１ｂと、この信号灯器１ｂと通信回線８を介して接続された交通信号制御機１ａとを備えている。
【００４８】
交通信号制御機１ａは、中央装置４から信号制御指令Ｓ１を受信し、当該信号制御指令Ｓ１に基づいて、各信号灯器１ｂの青、黄、赤及び右折矢等の各信号灯の点灯、消灯及び点滅を制御する。
交通信号制御機１ａは、中央装置４から受信した交通情報Ｓ２と自身が記憶している交差点ＩＤを、所定周期（例えば、０．１秒ごと）で車載装置２に送信する。また、交通信号制御機１ａは、車載装置２から車両５の位置情報Ｓ３及び速度情報Ｓ４を受信し、車両感知器５から感知信号Ｓ５を受信する。
【００４９】
図４は、上記交通信号制御機１ａの構成を示すブロック図である。
図４に示すように、交通信号制御機１ａは、制御部１０１、灯器駆動部１０２、有線通信部１０３、無線通信部１０５及び記憶部１０４を含んでいる。
交通信号制御機１ａの制御部１０１は、一又は複数のマイクロコンピュータから構成されている。制御部１０１には、内部バスを介して灯器駆動部１０２、通信部１０３及び記憶部１０４が接続されており、制御部１０１はこれらのハードウェア各部の動作を制御する。
【００５０】
この交通信号制御機１ａの制御部１０１は、中央装置４が系統制御や広域制御（ＭＯＤＥＲＡＴＯ制御やＲＡＮＤＯ制御等）を行った結果の出力である信号制御指令Ｓ１に従って各信号灯器１ｂを駆動し、その指令Ｓ１に基づく所定のタイミングで各信号灯器１ｂの信号灯色を切り替える。
灯器駆動部１０２は、半導体リレー（図示せず）を備え、上記制御部１０１から入力された出力指令Ｓ１に基づいて、複数の信号灯器１ｂの青色灯、黄色灯、赤色灯それぞれに対応して各色の信号灯に供給される交流電圧（ＡＣ１００Ｖ）又は直流電圧をオン／オフする。
【００５１】
交通信号制御機１ａの有線通信部１０３は、中央装置４及び車両感知器３との間で有線通信を行う通信インタフェースであり、中央装置４から信号制御指令Ｓ１及び交通情報Ｓ２を受信し、車両感知器３から車両の感知信号Ｓ５を受信する。
また、交通信号制御機１ａの無線通信部１０５は、交差点Ｃｉに流入する車両５の車載装置２との間で無線通信を行う通信インタフェースであり、交通情報Ｓ２を車載装置２に送信し、車両５の位置情報Ｓ３及び速度情報Ｓ４を車載装置２から受信する。
【００５２】
上記無線通信部１０５は、無線ＬＡＮやＷｉＭＡＸ（World Interoperability for Microwave Access）などの中・広域通信装置よりなり、車両５に搭載された車載装置２との間で各種情報を無線通信することができる。
図２に示すように、この無線通信部１０５は、交差点Ｃに流入するすべての道路ＲＭ１，ＲＭ２，ＲＳ１，ＲＳ２上の車両５の車載装置２と通信可能となっている。
【００５３】
そして、本実施形態の無線通信部１０５は、車載装置２に対して交差点ＩＤとともに対象となるリンク（図２の例では主道路ＲＭ２）のリンクＩＤを送信する。車載装置２は、無線通信部１０５から受信した情報に付されたリンクＩＤと走行中のリンクのリンクＩＤを照合することにより、自身に必要な情報を選択する。また、無線通信部１０５の通信領域の延長（主道路ＲＭ２の走行方向長さ）は、５０〜２００ｍ程度に設定されている。
交通信号制御機１ａの記憶部１０４は、ハードディスクや半導体メモリ等から構成されており、有線通信部１０３が受信した信号制御指令Ｓ１及び交通情報Ｓ２と、無線通信部１０５が受信した車両５の位置情報Ｓ３及び速度情報Ｓ４等を記憶している。
【００５４】
〔車載装置〕
車両５に搭載された車載装置２は、交通信号制御機１ａとの間で各種情報を無線通信する通信機能と、搭乗者が設定した目的地に案内するナビゲーション機能を有する。図５は、その車載装置２の構成を示すブロック図である。
図５に示すように、車載装置２は、ＧＰＳ処理部２０１、方位センサ２０２、車速取得部２０３、通信部２０４、記憶部２０５、操作部２０６、表示部２０７、音声出力部２０８及び処理部２０９等を含んでいる。
【００５５】
ＧＰＳ処理部２０１は、ＧＰＳ衛星からのＧＰＳ信号を受信し、ＧＰＳ信号に含まれる時刻情報、ＧＰＳ衛星の軌道、測位補正情報等に基づいて、車両５の位置（緯度、経度及び高度）を計測する。
方位センサ２０２は、光ファイバジャイロなどで構成されており、車両５の方位及び角速度を計測する。車速取得部２０３は、車速センサ（図示せず）が車輪の角速度を検出することにより計測した車両５の速度データを取得する。
【００５６】
車載装置２の通信部２０４は、車両５がある交差点Ｃｉに向かって走行中に、交通信号制御機１ａの無線通信部１０５の通信領域に入ると、その無線通信部１０５から交通情報Ｓ２を受信し、自身の位置情報Ｓ３及び速度情報Ｓ４をリアルタイム（例えば、０．１〜１．０秒周期）に無線通信部１０５に送信する。
車載装置２の記憶部２０５は、ハードディスクや半導体メモリ等から構成されており、通信部２０４が受信した交通情報Ｓ２を記憶する。また、記憶部２０５は、道路地図データを記憶している。
【００５７】
この道路地図データには、交差点ＩＤと交差点の位置とを対応付けた交差点データ、リンクＩＤと、リンクの始点・終点・補間点（道路が折れ曲がる地点に対応）それぞれの位置と、リンクの始点に接続するリンクのリンクＩＤと、リンクの終点に接続するリンクのリンクＩＤと、リンクコストとを対応付けたリンクデータなどから構成されている。 
リンクコストは、例えば、リンクとその終点に接続するリンクの組み合わせの数だけ用意されており、リンクの始点に進入してから当該リンクの終点を退出し、次に接続するリンクの始点に進入するまでに要する時間が設定されている。すなわち、リンクコストには、リンクの始点から終点までを走行するのに要するコスト（時間）と、リンクの終点から次のリンクの始点までを走行するのに要するコスト（時間）、つまり、交差点を通過するのに要するコストが含まれている。
【００５８】
車載装置２の操作部２０６は、タッチパネルやボタン等から構成されており、ドライバを含む車両５の搭乗者が目的地の設定等を行えるようになっている。
車載装置２の表示部２０７は、車両５のダッシュボード部分に取り付けられたモニタ装置（図示せず）よりなり、処理部２０９が後述する感応要求処理において作成した画像データを搭乗者に表示する。また、音声出力部２０８は、処理部２０９が作成した音声データをスピーカー（図示せず）から出力する。
【００５９】
車載装置２の処理部２０９は、１又は複数のマイクロコンピュータ等から構成されており、ＧＰＳ処理部２０１、方位センサ２０２、車速取得部２０３、通信部２０４、記憶部２０５、操作部２０６、表示部２０７、音声出力部２０８の各処理を制御する。
また、処理部２０９は、ＧＰＳ処理部２０１が計測した車両５の位置、方位センサ２０２が計測した車両５の方位及び角速度、車速取得部２０３が取得した車両５の速度の各データ、記憶部２０５に記憶している道路地図データに基づいてマップマッチング処理を行い、道路地図データのリンク上における車両５の位置を求める。
【００６０】
〔中央装置での交通指標の算出方法〕
〔待ち行列台数の算出（１）〕
次に、図６を参照しつつ、中央装置４の制御部４０１が実行する待ち行列台数の算出方法を説明する。
まず、中央装置４の制御部４０１は、各交差点Ｃｉの交通信号制御機１ａからリアルタイムに受信している車両５の速度情報Ｓ４を十分に小さい閾値ε（例えば、ε＝２ｋｍ／時）と比較し、この閾値εよりも小さくなった時点を車両速度が実質的にゼロとなった停止時点ｔ０とみなし、この停止時点ｔ０の車両５の位置情報Ｓ３を当該車両５の停止位置ｘ０と判定する。
【００６１】
次に、中央装置４の制御部４０１は、判定した停止位置ｘ０に基づいて、その停止時点ｔ０での待ち行列台数Ｅ１を算出する。
具体的には、図６に示すように、停止位置ｘ０から停止線Ｐまでの長さＬを演算し、その長さＬを、予め設定された有効車両長さｌで割ることにより、停止時点ｔ０における待ち行列台数Ｅ１とする。
【００６２】
〔待ち行列台数の算出（２）〕
ところで、ＭＯＤＥＲＡＴＯ制御の場合には、信号灯器１ｂの青終了時点Ｔでの待ち行列台数Ｅ２を使用する。しかし、車載装置２搭載の車両５の停止時点ｔ０は、青終了時点Ｔと一致しておらず、その停止時点ｔ０から青終了時点Ｔまでの間に後続車両５Ａが流入してくる可能性が高い。
そこで、図６に示すように、青終了時点Ｔでの待ち行列台数Ｅ２を求める場合には、上記後続車両５Ａの台数を車両感知器３でカウントし、この後続車両５Ａの台数を含める必要がある。
【００６３】
具体的には、中央装置４の制御部４０１は、次の不等式（１）が成立する場合にのみ、後続車両５Ａの台数をカウントし、待ち行列台数Ｅ２を算出する。
Ｖ×（Ｔ−ｔｉ）≧Ａ−（Ｌ＋ｌ×ｉ）  ……（１）
ただし、Ｖ  ：予め設定又は取得された車両速度
Ｔ  ：交差点の信号灯器の青終了時刻
ｔｉ：ｉ番目（ｉ＝１，２……）の後続車両の感知器通過時刻
Ａ  ：車両感知器から停止線までの距離
Ｌ  ：待ち行列長さ
ｌ  ：有効車両長さ
【００６４】
上記式（１）の右辺は、車載装置２搭載の信号待ちの停止車両５が存在する場合に、その後の後続車両５Ａが信号待ちで停止するのに要する走行距離である。他方、式（１）の左辺は、上記後続車両５Ａが、青終了時点Ｔになるまでの間に、車両感知器３から交差点Ｃに向かって走行し得る走行距離である。
従って、式（１）の左辺が右辺より大きいとき（不等式（１）の成立時）は、後続車両５Ａも、車載装置２搭載の車両５とともに信号待ちをしていると考えられるので、当該後続車両５Ａを待ち行列台数に加える必要がある。
【００６５】
〔飽和交通流率の算出〕
一方、中央装置４の制御部４０１は、上記と同様にして判定した車両の停止位置ｘ０と、その停止した車両５が更に停止線Ｐを通過する時刻ｔ１と、青開始時刻ｔ２とから飽和交通流率ｓを算出する。
すなわち、中央装置４の制御部４０１は、判定した停止位置ｘ０から前記待ち行列台数Ｅ１を算出するとともに、この待ち行列台数Ｅ１を、上記青開始時刻ｔ２から停止線通過時刻ｔ１までの経過時間ΔＴ（＝ｔ１−ｔ２）で割ることにより、飽和交通流率ｓを算出する。
【００６６】
そして、中央装置４の制御部４０１は、前記したＭＯＤＥＲＡＴＯ制御やＲＯＮＤＯ制御を実行するに当たって、以上のような算出手順で待ち行列台数Ｅ１，Ｅ２や飽和交通流率ｓを逐次算出し、それらの待ち行列台数Ｅ１，Ｅ２や飽和交通流率ｓを交通指標として採用して当該制御を行う。
【００６７】
このように、本実施形態の交通信号制御システムによれば、中央装置４の制御部４０１が、リアルタイムで取得している車両５の速度情報Ｓ４が実質的にゼロとなる時点をその車両５の停止時点ｔ０とみなし、この停止時点ｔ０の車両５の位置情報Ｓ３を当該車両５の停止位置ｘ０と判定するので、これらの停止時点ｔ０及び停止位置ｘ０は、車両５が実際に停止した時刻及び位置に極めて近い正確な値になる。
そして、上記判定で得られた実際に近い正確な停止位置ｘ０に基づいて、停止時点ｔ０での待ち行列台数Ｅ１，Ｅ２や飽和交通流率ｓを算出しているので、単数又は複数の車両感知器の感知信号Ｓ５からそれらの交通指標を推定する場合に比べて、当該交通指標をより正確に算出することができる。
【００６８】
これまで開示した実施形態はすべて例示であって制限的なものではない。本発明の範囲は特許請求の範囲によって示され、特許請求の範囲の構成と均等の範囲内のすべての変更が本発明に含まれる。
例えば、上記実施形態では、待ち行列台数Ｅ１，Ｅ２や飽和交通流率ｓの算出を中央装置４の制御部４０１が行っているが、この算出を交通信号制御機１ａの制御部１０１に行わせることもできる。
また、本発明は、中央装置４が広域制御を行う場合に限らず、ＬＡＮに含まれる複数の交通信号機１が、中央装置４による制御とは別個のグループ単位での系統制御又は広域制御を行う場合にも適用することができる。
【００６９】
更に、本発明は、ＭＯＤＥＲＡＴＯ制御やＲＯＮＤＯ制御だけなく、その他の交通信号制御を行うシステムに採用することができる。
特に、本発明は、ＲＯＮＤＯ制御のように、シミュレーション手法によって信号待ち遅れ時間の予測値算出を行う予測制御全般に有効であり、このような予測制御に本発明を適用すれば、予測開始時点で現状の待ち行列台数や飽和交通流率を正確に把握でき、算出される信号待ち遅れ時間の予測値の精度が向上し、予測制御をより高精度化することができる。
【００７０】
〔本発明の第二実施形態〕
図７は、本発明の第二実施形態を開示するための、交通信号機１の全体構成を示す模式図である。
この第二実施形態が第一実施形態（図１〜図６）と異なる点は次の（１）〜（３）の通りであり、これ以外の装置構成や、中央装置４が行う待ち行列台数Ｅ１，Ｅ２及び飽和交通流率ｓの算出方法は、第一実施形態の場合と同様である。
【００７１】
（１）  車載装置２は、リアルタイム（例えば、０．１〜１．０秒周期）で自車両５の位置情報Ｓ３や速度情報Ｓ４を送信するのではなく、これらの情報Ｓ３，Ｓ４を時系列データとして記憶部２０５に蓄積する。
（２）  車載装置２は、光ビーコン１０やＤＳＲＣ等の局所通信装置と路車間通信を行う際に、記憶部２０５に蓄積された上記時系列データをインフラ側に送信する。
【００７２】
（３）  中央装置４の制御部４０１は、局所通信装置で取得した時系列の位置情報Ｓ３と速度情報Ｓ４に基づいて、待ち行列台数Ｅ１，Ｅ２や飽和交通流率ｓの算出を行う。
なお、本実施形態の場合も、待ち行列台数Ｅ１，Ｅ２や飽和交通流率ｓの算出を中央装置４の制御部４０１ではなく、交通信号制御機１ａの制御部１０１に行わせてもよいが、以下の説明では、中央装置４の制御部４０１がその算出を行うものとする。
【００７３】
以下、図７を参照しつつ、上記相違点（１）〜（３）を有する第二実施形態を説明する。
図７に示すように、本実施形態の交通信号制御システムでは、交通信号制御機１ａが無線通信部１０５を備えておらず、車両５との双方向通信手段として光ビーコン１０を備えている。この光ビーコン１０は、各道路ＲＭ１，ＲＭ２，ＲＳ１，ＲＳ２における交差点Ｃの流出部近傍にそれぞれ設置されており、各光ビーコン１０は当該交差点Ｃの交通信号制御機１ａの有線通信部１０３に繋がっている。
【００７４】
上記光ビーコン１０は、車両５の車載装置２との間で光信号による双方向通信を行うものであり、車両５側にダウンリンク光を送信する発光ダイオードを含む光送信部と、車両５側からのアップリンク光を受信するフォトダイオードを含む光受信部とを有する。
このため、本実施形態では、車載装置２の通信部２０４は、光ビーコン１０にアップリンク光を送信する発光ダイオードを含む光送信部と、光ビーコン１０からのダウンリンク光を受信するフォトダイオードを含む光受信部とから構成されている。
【００７５】
また、本実施形態では、車載装置２の処理部２０９は、車速取得部２０３が計測した車両５の速度データと、自身が求めた道路地図データのリンク上における位置データとを、所定周期（例えば０．１〜１．０秒周期）の時系列データとして記憶部２０５に記憶させている。この時系列データは、車両５の位置データや速度データを、所定周期ではなく、所定の車両走行距離ごとに収集したものであってもよい。
なお、車両情報を利用して交通指標の算出精度を高める本発明の趣旨から、上記時系列データのデータ収集時間はさほど長く設定する必要はなく、前回の光ビーコン４から今回の光ビーコン４を通過するまでの時間であれば十分であり、例えば数分間程度で足りる。
【００７６】
そして、車載装置２の通信部２０４は、交差点Ｃを流出した車両５が光ビーコン１０の通信領域に入ると、ダウンリンク光によって交通情報Ｓ２を光ビーコン１０から受信するとともに、アップリンク光によって自身の位置情報Ｓ３及び速度情報Ｓ４の時系列データを計測時の時刻情報を付加して光ビーコン１０に送信する。
光ビーコン１０が受信した位置情報Ｓ３及び速度情報Ｓ４の時系列データは、交通信号制御機１ｂを通じて中央装置４に転送される。
【００７７】
中央装置４の制御部４０１は、上記時系列データを用いて、第一実施形態の場合と同様の手法で交通指標（前記待ち行列台数Ｅ１，Ｅ２及び飽和交通流率ｓ）を算出する。
すなわち、中央装置４の制御部４０１は、光ビーコン１０から取得した車両５の位置情報Ｓ３及び速度情報Ｓ４の時系列データを用い、その時系列データ中の速度情報Ｓ４が実質的にゼロとなる時点をその車両５の停止時点ｔ０とみなし、この停止時点ｔ０の車両５の位置情報Ｓ３を当該車両５の停止位置ｘ０と判定する（図６参照）。
【００７８】
このため、これらの停止時点ｔ０及び停止位置ｘ０は、車両５が実際に停止した時刻及び位置に極めて近い正確な値になる。
そして、中央装置４の制御部４０１が、上記判定で得られた実際に近い正確な停止位置ｘ０に基づいて、停止時点ｔ０での待ち行列台数Ｅ１，Ｅ２や飽和交通流率ｓを算出するので、単数又は複数の車両感知器３の感知信号Ｓ５からそれらの交通指標を推定する場合に比べて、当該交通指標をより正確に算出することができる。
【００７９】
本実施形態では、車両５で数分間蓄積しておいた位置情報Ｓ３及び速度情報Ｓ４の時系列データを光ビーコン１０で中央装置４に転送するので、中央装置４が取得する時系列データは交通信号機１の１サイクル分だけ遅れており、これによって求まる交通指標も１サイクル分だけ遅れた情報になる。
このため、第一実施形態の場合よりも交通指標の精度はやや劣るが、実際の車両５の停止位置を正確に推定できる点は第一実施形態の場合と同様であるから、車両感知器３の感知信号Ｓ５だけで待ち行列台数Ｅ１等の交通指標を算出する従来法に比べて、交通指標の算出精度を向上することができる。
【００８０】
なお、本実施形態において、中央装置４の制御部４０１は、位置情報Ｓ３の時系列データに基づいて車両５の速度情報Ｓ４を自身で演算することもできる。従って、この場合には、車載装置２は速度情報Ｓ４の時系列データを光ビーコン４に送信する必要がなく、中央装置４の通信部４０３で位置情報Ｓ３の時系列データだけを受信すれば足りる。
また、図７では、車載装置２と双方向通信する局所通信装置として光ビーコン１０を例示したが、これ以外にも、電波で路車間通信を行うＤＳＲＣ装置等を採用することもできる。
【００８１】
〔本発明の第三実施形態〕
図８は、本発明の第三実施形態を開示するための、交通信号機１の全体構成を示す模式図である。
この第三実施形態が第一実施形態（図１〜図６）と異なる点は次の（１）〜（３）の通りであり、これ以外の装置構成や、中央装置４が行う待ち行列台数Ｅ１，Ｅ２及び飽和交通流率ｓの算出方法は、第一実施形態の場合と同様である。
【００８２】
（１）  車載装置２は、リアルタイム（例えば、０．１〜１．０秒周期）で自車両５の位置情報Ｓ３や速度情報Ｓ４を送信するのではなく、これらの情報Ｓ３，Ｓ４を時系列データとして蓄積する。
（２）  車載装置２は、通信部２０４として携帯電話機等よりなるモバイルの端末装置２０４Ａを備えており、この端末装置２０４Ａを利用して、蓄積した上記時系列データを携帯電話網等の外部ネットワーク（図示せず）に送信する。
【００８３】
（３）  中央装置４の制御部４０１は、外部ネットワークを通じて取得した時系列の位置情報Ｓ３と速度情報Ｓ４に基づいて、待ち行列台数Ｅ１，Ｅ２や飽和交通流率ｓの算出を行う。
なお、本実施形態の場合も、待ち行列台数Ｅ１，Ｅ２や飽和交通流率ｓの算出を中央装置４の制御部４０１ではなく、交通信号制御機１ａの制御部１０１に行わせてもよいが、以下の説明では、中央装置４の制御部４０１がその算出を行うものとする。
【００８４】
以下、図８を参照しつつ、上記相違点（１）〜（３）を有する第三実施形態を説明する。
図８に示すように、本実施形態の交通信号制御システムでは、交通信号制御機１ａが無線通信部１０５を備えておらず、車両５との双方向通信手段として携帯電話網やインターネット等よりなる外部ネットワーク（図示せず）を利用している。
【００８５】
車両５の内部では、携帯電話機よりなる端末装置２０４Ａが通信ケーブル等を介して車載装置２に接続されており、車載装置２の処理部２０９は、車速取得部２０３が計測した車両５の速度データと、自身が求めた道路地図データのリンク上における位置データとを、所定周期（例えば０．１〜１．０秒周期）又は所定車両走行距離ごとの時系列データとして自身の記憶部２０５又は端末装置２０４Ａの記憶領域に記憶させている。
なお、第二実施形態の場合と同様に、位置情報Ｓ３及び速度情報Ｓ４の時系列データには、通常、位置や速度の計測時に対応する時刻情報が付加される。
【００８６】
そして、車載装置２に接続された端末装置２０４Ａは、外部ネットワークから交通情報Ｓ２を受信可能であり、その外部ネットワークに対して、自身の記憶領域に蓄積された位置情報Ｓ３及び速度情報Ｓ４の時系列データを計測時の時刻情報を付加して送信する。
端末装置２０４Ａが送信した上記時系列データは、更に外部ネットワークを通じて中央装置４に転送される。
【００８７】
中央装置４の制御部４０１は、上記時系列データを用いて、第一実施形態の場合と同様の手法で交通指標（前記待ち行列台数Ｅ１，Ｅ２及び飽和交通流率ｓ）を算出する。
すなわち、中央装置４の制御部４０１は、外部ネットワークから取得した車両５の位置情報Ｓ３及び速度情報Ｓ４の時系列データを用い、その時系列データ中の速度情報Ｓ４が実質的にゼロとなる時点をその車両５の停止時点ｔ０とみなし、この停止時点ｔ０の車両５の位置情報Ｓ３を当該車両５の停止位置ｘ０と判定する（図６参照）。
【００８８】
なお、本実施形態においても、中央装置４の制御部４０１は、位置情報Ｓ３の時系列データに基づいて車両５の速度情報Ｓ４を自身で演算することもできる。従って、この場合には、端末装置２０４Ａは、速度情報Ｓ４の時系列データを外部ネットワークに送信する必要がなく、中央装置４の通信部４０３で位置情報Ｓ３の時系列データだけを受信すればよい。
また、本実施形態において、端末装置２０４Ａは、携帯電話機以外にも、ＰＨＳ端末やＰＤＡ端末等のモバイル端末を使用することもできる。
【符号の説明】
【００８９】
１    交通信号機
１ａ  交通信号制御機
１ｂ  信号灯器
１０１    制御部
１０２    灯器駆動部
１０３    有線通信部
１０４    記憶部
１０５    無線通信部
２    車載装置
２０１    ＧＰＳ処理部
２０２    方位センサ
２０３    車速取得部
２０４    通信部（送信手段）
２０５    記憶部
２０６    操作部
２０７    表示部
２０８    音声出力部
２０９    処理部
３    車両感知器
４    中央装置（交通信号制御装置、交通指標算出装置）
４０１    制御部（判定手段、算出手段）
４０２    表示部
４０３    通信部
４０４    記憶部
４０５    操作部
５    車両
５Ａ  後続車両
Ｃｉ  交差点
Ｐ    停止線
Ｓ１  信号制御指令
Ｓ２  交通情報
Ｓ３  位置情報
Ｓ４  速度情報
Ｓ５  感知信号
【図１】
0005482827.tif 000002
【図２】
0005482827.tif 000003
【図３】
0005482827.tif 000004
【図４】
0005482827.tif 000005
【図５】
0005482827.tif 000006
【図６】
0005482827.tif 000007
【図７】
0005482827.tif 000008
【図８】
0005482827.tif 000009